(57)【要約】      （修正有）【課題】電気回路板に簡単にハンダ付けでき低生産コストの電気コネクターを提供する。【解決手段】電気コネクターは、絶縁本体、複数の端子、二つの固定部、二つの安定部を備える。絶縁本体には、複数の端子溝を設け、絶縁本体両側には嵌合支持溝と二つの延伸アームを設け、延伸アーム一端には固定溝を設ける。端子は、端子溝内に挿設、そのハンダ足は絶縁本体の底面に位置する。固定部には連結部と、連結部の一端から折れ曲がり形成するハンダ付け部と、連結部の他の一端から折れ曲がり形成する鉤状支持部とを備え、連結部は固定溝内に収め、しかも上下方向移動可能とし、ハンダ付け部は絶縁本体の底面に位置する。安定部は嵌合接合部を設け、嵌合接合部は嵌合支持溝内に嵌設する。【選択図】図２
0003158297.tif 000002
【実用新案登録請求の範囲】
【請求項１】
複数の端子溝を設け、両側には嵌合支持溝を設け、両側にはそれぞれ延伸する延伸アームを形成し、延伸アーム一端には固定溝を設ける絶縁本体と、
絶縁本体の端子溝内に挿設、ハンダ足は絶縁本体の底面に位置する複数の端子と、
連結部と、連結部の一端から折れ曲がり形成するハンダ付け部と、連結部の他の一端から折れ曲がり形成する鉤状支持部とを備え、前記連結部は固定溝内に収め、しかも固定溝内で上下移動可能とし、前記鉤状支持部は延伸アームに引っ掛かり支持し、前記ハンダ付け部は絶縁本体の底面に位置する二つの固定部と、
嵌合接合部を設け、嵌合接合部は絶縁本体の嵌合支持溝内に嵌設する二つの安定部とにより構成される電気コネクター。
【請求項２】
前記延伸アームの一エッジ箇所には上方向に伸びる突出辺を形成し、前記安定部の一エッジは突出辺に圧する状態で接触することを特徴とする請求項１記載の電気コネクター。
【請求項３】
前記安定部には折れ曲がり延伸する嵌合体を形成し、嵌合体は絶縁本体の端面を圧することを特徴とする請求項１記載の電気コネクター。
【考案の詳細な説明】
【技術分野】
【０００１】
本考案はコネクターに関するもので、特に電気コネクターに係る。
【背景技術】
【０００２】
図３に示す通り、公知の電気コネクター１００'は、絶縁本体１０'、複数の第一端子２０'、複数の第二端子３０'、及び絶縁本体１０'の一方側にそれぞれ装着定位する二つの安定部品４０'を備える。前記第一端子２０'と第二端子３０'はどちらも電気回路板上にハンダ付けするハンダ足を備え、安定部４０'には電気回路板にハンダ付けする定位面４１'を設け、安定部４０'によって電子カードは電気コネクター１００'上に左右移動せずに安定挿入できる。
【０００３】
しかし、電子カードの挿入や抜き取り時に、電気コネクター１００'がはがれることにより第一端子２０'、第二端子３０'のハンダ足が簡単に緩まらないように、公知の電気コネクター１００'は電気回路板にハンダ付けした時、二つの安定部４０'の定位面４１'と第一端子２０'、第二端子３０'のハンダ足を同一平面上に位置させなければならないが、安定部４０'が比較的長く、定位面４１'と第一端子２０'、第二端子３０'のハンダ足の底面を同一水平面上に位置させるのは非常に困難で、製造における精密度の要求が高い故、生産コスト削減に不利である。
【考案の概要】
【考案が解決しようとする課題】
【０００４】
本考案の目的は、公知技術に存在する欠点に対し、電気回路板に簡単にハンダ付けでき低生産コストの電気コネクターを提供することにある。
【課題を解決するための手段】
【０００５】
前述目的を実現する為、本考案の電気コネクターは、絶縁本体、複数の端子、二つの固定部、二つの安定部を備える。絶縁本体には、複数の端子溝を設け、絶縁本体両側には嵌合支持溝を設け、絶縁本体両側にはそれぞれ延伸する延伸アームを形成し、延伸アーム一端には固定溝を設ける。複数の端子は、絶縁本体の端子溝内に挿設、ハンダ足は絶縁本体の底面に水平状態で位置する。固定部には連結部と、連結部の一端から折れ曲がり延伸するハンダ付け部と、連結部の他の一端から折れ曲がり延伸する鉤状支持部とを備え、前記連結部は固定溝内に収め、しかも固定溝内での上下方向移動を可能とし、前記鉤状支持部は延伸アームに引っ掛かり支持し、前記ハンダ付け部は前記絶縁本体の底面に水平状態で位置する。安定部は嵌合接合部を設け、嵌合接合部は絶縁本体の嵌合支持溝内に嵌設する。
【考案の効果】
【０００６】
前述した通り、本考案電気コネクターの固定部の連結部は固定溝内で上下方向移動が可能である為、製造上、適当な誤差を許容し、更に、固定部のハンダ付け部と端子のハンダ足を共通面にする要求を達成する故、製造が比較的簡単で共通面を確保する効果を持つ。
【図面の簡単な説明】
【０００７】
【図１】本考案の電気コネクターに関する実施例の立体図である。
【図２】本考案の電気コネクターに関する実施例の立体分解図である。
【図３】公知の電気コネクターの立体図である。
【考案を実施するための形態】
【０００８】
本考案の技術内容、構造特徴、それが達成する目的と効果を詳細する為に、次に、実施例と図面を組み合わせた説明を行う。
【０００９】
図１に示す通り、本考案の電気コネクター１００は、絶縁本体１、第一端子２、第二端子３、二つの固定部４、二つの安定部５を備える。
【００１０】
図２に示す通り、絶縁本体１には、複数の第一端子溝１１と複数の第二端子溝１２を設け、前記第一端子溝１１は前列の下寄りに位置させ、第二端子溝１２は後列の上寄りに位置させ、第一端子溝１１と第二端子溝１２を組み合わせて前述の端子溝を形成し、絶縁本体１両側にはそれぞれ嵌合支持溝１４を設け、絶縁本体１両側にはそれぞれ延伸する延伸アーム１３を形成し、延伸アーム１３左側エッジ箇所には上方向に伸びる突出辺１３１を形成し、延伸アーム１３前端には固定溝１３２を設ける。
【００１１】
前記第一端子２は絶縁本体１の第一端子溝１１内に挿設、ハンダ足２１は絶縁本体１の底面に位置して電気回路板へのハンダ付け用とする。前記第二端子３は、絶縁本体１の第二端子溝１２内に挿設、ハンダ足３１は絶縁本体１の底面に位置して電気回路板へのハンダ付け用とする。電気回路板へのハンダ付け用とする。第一端子２と第二端子３を組み合わせて前記端子とする。
【００１２】
二つの固定部４は連結部４１と、連結部４１の一端から折れ曲がり延伸するハンダ付け部４２と、連結部４１の他の一端から折れ曲がり延伸する鉤状支持部４３とを備え、前記連結部４１は延伸アーム１３の固定溝１３２内に収め、しかも固定溝１３２内で上下移動可能とし、前記鉤状支持部４３は延伸アーム１３端面上に引っ掛かり支持し、前記ハンダ付け部４２は前記絶縁本体１の底面に位置して電気回路板へのハンダ付け用とする。
【００１３】
安定部５の一端には嵌合接合部５１を設け、嵌合接合部５１は絶縁本体１の嵌合支持溝１４内に嵌設、安定部５の一エッジ箇所には折れ曲がり延伸する嵌合体５２を形成し、嵌合体５２は絶縁本体１の端面を圧し、安定部５の下方エッジは延伸アーム１３の突出辺１３１に圧する状態で接触し、安定部５によって電子カードは電気コネクター１００上で左右移動せずに安定挿入される。
【００１４】
前述した通り、本考案の電気コネクター１００の固定部４の鉤状支持部４３は絶縁本体１の延伸アーム１３の端面を引っ掛けて支持し、且つ固定部４のハンダ付け部４２を電気回路板上にハンダ付けすることにより、電子カードの挿入と抜き取り時に、電気コネクター１００'のはがれによる第一端子２０'、第二端子３０'のハンダ付けの緩みが起き難く、また、固定部４の連結部４１によって固定溝１３２内を上下方向移動が可能である。よって、製造上、適当な公差を許容され、更に、固定部４のハンダ付け部４２と端子のハンダ足２１、ハンダ足３１を共通面にする要求を達成する為、製造が比較的簡単で共通面を確保する効果を持つ。
【符号の説明】
【００１５】
１００  電気コネクター
１  絶縁本体
１１  第一端子溝
１２  第二端子溝
１３  延伸アーム
１３１  突出辺
１３２  固定溝
１４  嵌合支持溝
２  第一端子
２１  ハンダ足
３  第二端子
３１  ハンダ足
４  固定部
４１  連結部
４２  ハンダ付け部
４３  鉤状支持部
５  安定部
５１  嵌合接合部
５２  嵌合体
【図１】
0003158297.tif 000003
【図２】
0003158297.tif 000004
【図３】
0003158297.tif 000005